(57)【要約】【課題】使用済みランセットの再使用及び穿刺針の露出を防止することができる穿刺針カートリッジ及び穿刺装置を提供すること。【解決手段】穿刺針カートリッジ１０５を構成するランセット２０４は軸方向の互いに異なる位置に、弾性変形が可能な第１のアーム２０９と第２のアーム２１０とを有し、穿刺針カートリッジ１０５は、第１のアーム２０９のみが穿刺針ホルダ２０１の開口部２１１から突出して、ランセット２０４の移動を規制する第１の状態と、第１のアーム２０９と、第２のアーム２１０とが穿刺針カートリッジ１０５内に納まって、穿刺針２０７が穿刺針ホルダ２０１から突出可能な第２の状態と、第１のアーム２０９と第２のアーム２１０が共に、開口部２１１から突出して、ランセット２０４の移動を規制する第３の状態とを取る。【選択図】図４
2010088926.tif 000002
【特許請求の範囲】
【請求項１】
皮膚を穿刺する穿刺針と、前記穿刺針の先端の一部又は全部を覆うように保護し、且つ前記穿刺針とは分離可能に形成された保護キャップとを有するランセットと、前記ランセットが前記穿刺針の軸方向に移動可能なように、前記ランセットを保持する穿刺針ホルダを備える穿刺針カートリッジであって、
前記ランセットは、軸方向の互いに異なる位置に、弾性変形が可能な、少なくとも第１のアームと、第２のアームとを備える穿刺針カートリッジ。
【請求項２】
皮膚を穿刺する穿刺針と、前記穿刺針の先端の一部又は全部を覆うように保護し、且つ前記穿刺針とは分離可能に形成された保護キャップとを有するランセットと、前記ランセットが前記穿刺針の軸方向に移動可能なように、前記ランセットを保持する穿刺針ホルダを備える穿刺針カートリッジであって、
前記ランセットは、軸方向の互いに異なる位置に、弾性変形が可能な、少なくとも第１のアームと、第２のアームとを有し、
前記穿刺針ホルダは、前記ランセットが前記穿刺針の軸方向の所定の位置にあるときに、穿刺針ホルダの外方に突出する開口部を有し、
前記穿刺針カートリッジは、前記第１のアームのみが前記開口部から突出して、前記ランセットの移動を規制する第１の状態と、
前記第１のアームと、第２のアームとが穿刺針カートリッジ内に納まって、前記穿刺針が穿刺針ホルダから突出可能な第２の状態と、
前記第１のアームと第２のアームが共に、開口部から突出して、前記ランセットの移動を規制する第３の状態とを取り得る穿刺針カートリッジ。
【請求項３】
前記第１のアーム及び／又は前記第２のアームは、突起部を有する請求項１又は請求項２に記載の穿刺針カートリッジ。
【請求項４】
前記突起部は、複数の種類の突起である請求項３記載の穿刺針カートリッジ。
【請求項５】
前記突起部は、湾曲形状、折曲形状、テーパ形状、又は傾斜部を有する形状である請求項３記載の穿刺針カートリッジ。
【請求項６】
前記突起部は、前記第１のアーム又は前記第２のアームから分岐する形状で突出する突起である請求項３記載の穿刺針カートリッジ。
【請求項７】
前記突起部は、第１突起部と第２突起部からなり、
前記第１突起部と前記第２突起部とは、等間隔に配置される請求項３記載の穿刺針カートリッジ。
【請求項８】
前記突起部は、第１突起部と第２突起部からなり、
前記第１突起部と前記第２突起部とは、等角度に配置される請求項３記載の穿刺針カートリッジ。
【請求項９】
前記突起部は、第１突起部と第２突起部からなり、
前記第１突起部又は前記第２突起部は、前記保護キャップ先端から等距離の位置に配置される請求項３記載の穿刺針カートリッジ。
【請求項１０】
皮膚を穿刺するカートリッジ方式の穿刺針カートリッジが装着される穿刺装置であって、
前記穿刺針カートリッジは、請求項１に記載の穿刺針カートリッジであり、
前記穿刺針カートリッジの穿刺針ホルダを保持するケーシングと、
前記ランセットを保持して穿刺針の軸方向に駆動するプランジャとを備える穿刺装置。
【請求項１１】
皮膚を穿刺するカートリッジ方式の穿刺針カートリッジが装着される穿刺装置であって、
前記穿刺針カートリッジは、請求項１乃至請求項９のいずれかに記載の穿刺針カートリッジであり、
前記穿刺針カートリッジの穿刺針ホルダを保持するケーシングと、
前記ランセットを保持して穿刺針の軸方向に駆動するプランジャとを備え、
前記第１の状態にある前記穿刺針カートリッジが装着されたときには、前記第１のアームを弾性変形させて、前記プランジャに保持された前記ランセットを穿刺針の軸方向に駆動可能にし、前記穿刺針カートリッジが穿刺装置から取り外されるときには、前記ランセットと前記プランジャとの保持が開放されることに応じて、前記穿刺針カートリッジを第３の状態に変化させる穿刺装置。
【発明の詳細な説明】
【技術分野】
【０００１】
本発明は、血糖値測定などの血液測定において、採血をするための穿刺器具に用いる穿刺針カートリッジ及び穿刺装置に関する。
【背景技術】
【０００２】
従来から血液を採取するためのさまざまな穿刺器具や、それとともに用いられる使い捨て式のランセットが開発されている。このような穿刺器具においては、ランセットを穿刺器具に取り付けたり取り外したりする際に、ランセットの一端から露出した穿刺針に誤って手などに刺してしまう危険性があった。上述の問題を受け、穿刺針を囲むキャップを有し、穿刺針に直接触れる危険性がなく穿刺器具に対してランセットの着脱が可能な穿刺針カートリッジや再装着しても再利用を防止することができる穿刺針カートリッジが開発されてきた（例えば、特許文献１参照）。
【先行技術文献】
【特許文献】
【０００３】
【特許文献１】特開２０００−２４５７１７号公報
【発明の概要】
【発明が解決しようとする課題】
【０００４】
しかしながら、このような従来の穿刺針カートリッジにあっては、使用済みのランセット単体の状態では穿刺針がカートリッジに固定されておらず、穿刺針が露出するおそれがあり針刺し事故や感染などの危険性があった。
【０００５】
本発明はかかる点に鑑みてなされたものであり、使用済みランセットの再使用及び穿刺針の露出を防止することができる穿刺針カートリッジ及び穿刺装置を提供することを目的とする。
【課題を解決するための手段】
【０００６】
本発明の穿刺針カートリッジは、皮膚を穿刺する穿刺針と、前記穿刺針の先端の一部又は全部を覆うように保護し、且つ前記穿刺針とは分離可能に形成された保護キャップとを有するランセットと、前記ランセットが前記穿刺針の軸方向に移動可能なように、前記ランセットを保持する穿刺針ホルダを備える穿刺針カートリッジであって、前記ランセットは、軸方向の互いに異なる位置に、弾性変形が可能な、少なくとも第１のアームと、第２のアームとを備える構成を採る。
【０００７】
本発明の穿刺針カートリッジは、皮膚を穿刺する穿刺針と、前記穿刺針の先端の一部又は全部を覆うように保護し、且つ前記穿刺針とは分離可能に形成された保護キャップとを有するランセットと、前記ランセットが前記穿刺針の軸方向に移動可能なように、前記ランセットを保持する穿刺針ホルダを備える穿刺針カートリッジであって、前記ランセットは、軸方向の互いに異なる位置に、弾性変形が可能な、少なくとも第１のアームと、第２のアームとを有し、前記穿刺針ホルダは、前記ランセットが前記穿刺針の軸方向の所定の位置にあるときに、穿刺針ホルダの外方に突出する開口部を有し、前記穿刺針カートリッジは、前記第１のアームのみが前記開口部から突出して、前記ランセットの移動を規制する第１の状態と、前記第１のアームと、第２のアームとが穿刺針カートリッジ内に納まって、前記穿刺針が穿刺針ホルダから突出可能な第２の状態と、前記第１のアームと第２のアームが共に、開口部から突出して、前記ランセットの移動を規制する第３の状態とを取り得る構成を採る。
【０００８】
本発明の穿刺装置は、皮膚を穿刺するカートリッジ方式の穿刺針カートリッジが装着される穿刺装置であって、前記穿刺針カートリッジは、請求項１に記載の穿刺針カートリッ
ジであり、前記穿刺針カートリッジの穿刺針ホルダを保持するケーシングと、前記ランセットを保持して穿刺針の軸方向に駆動するプランジャとを備える構成を採る。
【０００９】
本発明の穿刺装置は、皮膚を穿刺するカートリッジ方式の穿刺針カートリッジが装着される穿刺装置であって、前記穿刺針カートリッジは、上記に記載の穿刺針カートリッジであり、前記穿刺針カートリッジの穿刺針ホルダを保持するケーシングと、前記ランセットを保持して穿刺針の軸方向に駆動するプランジャとを備え、前記第１の状態にある前記穿刺針カートリッジが装着されたときには、前記第１のアームを弾性変形させて、前記プランジャに保持された前記ランセットを穿刺針の軸方向に駆動可能にし、前記穿刺針カートリッジが穿刺装置から取り外されるときには、前記ランセットと前記プランジャとの保持が開放されることに応じて、前記穿刺針カートリッジを第３の状態に変化させる構成を採る。
【発明の効果】
【００１０】
本発明によれば、穿刺針カートリッジを構成するランセットは軸方向の互いに異なる位置に、弾性変形が可能な第１のアームと第２のアームとを有することにより、患者が使用済み穿刺針カートリッジを再装着しても再度の穿刺動作を防止することができる。
【００１１】
また、使用後の穿刺針カートリッジにおいて、第１のアームあるいは第２のアームが穿刺針ホルダと当接することで使用後の針先の露出を防止することができる。また、使用後のランセットの軸方向の動きを規制する第１及び第２のアームを設けているため、第１のアームあるいは第２のアームいずれか一方が破損することがあっても、破損しなかった他方のアームにより穿刺針の露出を防止でき、より一層安全である。
【図面の簡単な説明】
【００１２】
【図１】本発明の実施の形態１に係る穿刺装置及び穿刺針カートリッジの全体構成を示す斜視図
【図２】上記実施の形態１に係る穿刺装置及び穿刺針カートリッジの先端部分内部の状態を透視して示す要部及び周辺部の透視斜視図
【図３】上記実施の形態１に係る穿刺針カートリッジの斜視図
【図４】上記実施の形態１に係る穿刺装置及び穿刺針カートリッジの保護キャップとランセット本体の斜視図
【図５】上記実施の形態１に係る穿刺針カートリッジと穿刺装置本体の各動作状態における要部断面図
【図６】上記実施の形態１に係る穿刺針カートリッジと穿刺装置本体の各動作状態における要部断面図
【図７】上記実施の形態１に係る穿刺針カートリッジと穿刺装置本体の各動作状態における要部断面図
【図８】上記実施の形態１に係る穿刺針カートリッジと穿刺装置本体の各動作状態における要部断面図
【図９】上記実施の形態１に係る穿刺針カートリッジと穿刺装置本体の各動作状態における要部断面図
【図１０】上記実施の形態１に係る穿刺針カートリッジと穿刺装置本体の各動作状態における要部断面図
【図１１】本発明の実施の形態２に係る穿刺装置及び穿刺針カートリッジの保護キャップとランセット本体の斜視図
【図１２】本発明の実施の形態３に係る穿刺装置及び穿刺針カートリッジの保護キャップとランセット本体の斜視図
【図１３】本発明の実施の形態４に係る穿刺装置及び穿刺針カートリッジの保護キャップとランセット本体の斜視図
【図１４】本発明の実施の形態５に係る穿刺装置及び穿刺針カートリッジの保護キャップとランセット本体の斜視図
【発明を実施するための形態】
【００１３】
以下、本発明の実施の形態について、図面を参照して詳細に説明する。
【００１４】
（実施の形態１）
図１は、本発明の実施の形態１に係る穿刺装置及び穿刺針カートリッジの全体構成を示す斜視図、図２は、図１の先端部分内部の状態を透視して示す要部及び周辺部の透視斜視図である。図３は、穿刺針カートリッジの斜視図、図４は、保護キャップとランセット本体の斜視図である。
【００１５】
図１及び図２に示すように、穿刺装置１００は、穿刺装置本体１０１と、穿刺針カートリッジ１０５とから構成される。
【００１６】
穿刺装置本体１０１は、ベースメカ１０２、プランジャ１０３、スタブ１０４、穿刺針カートリッジ１０５、廃棄用部材１０６、及び挿入口１０７を備えて構成される。
【００１７】
ベースメカ１０２は、穿刺針カートリッジ１０５の穿刺針ホルダ２０１（図３参照）を保持する。
【００１８】
プランジャ１０３の先端部分は、穿刺針カートリッジ１０５のチャッキング部２０６（図３参照）を把持する。
【００１９】
スタブ１０４は、深度調節のレベル及び穿刺針カートリッジ１０５が挿入される挿入口１０７が形成される。
【００２０】
廃棄用部材１０６は、穿刺装置本体１０１に装着された穿刺針カートリッジ１０５を素手で触ることなく押し出し、廃棄する。
【００２１】
図３及び図４に示すように、穿刺針カートリッジ１０５は、穿刺針ホルダ２０１と、ランセット本体２０３と、前記ランセット本体の一端に設けた穿刺針２０７を保護する保護キャップ２０２と、ランセット本体２０３と保護キャップ２０２を有するランセット２０４とから構成される。
【００２２】
穿刺針ホルダ２０１は、内径部２０５及び開口部２１１を備え、ランセット２０４は、保護キャップ２０２、ランセット本体２０３、チャッキング部２０６、前記ランセット本体２０３に内蔵された穿刺針２０７、保護キャップ２０２とランセット本体２０３を分離できる破断部２０８、第１アーム２０９、及び第２アーム２１０を備えて構成される。
【００２３】
穿刺針ホルダ２０１は、ランセット２０４が穿刺針２０７の軸方向に移動可能なように、ランセット２０４を保持する。穿刺針ホルダ２０１は、ランセット２０４が穿刺針２０７の軸方向の所定の位置にあるときに、穿刺針ホルダ２０１の外方に突出する開口部２１１を有する。
【００２４】
穿刺針ホルダ２０１とランセット２０４は、穿刺針カートリッジ１０５を構成した状態で穿刺装置本体１０１の先端部に固定して取り付けられる。この時、ランセット２０４は、そのランセット本体２０３の他端に設けられたチャッキング部２０６において、プランジャ１０３の先端部分に把持される。
【００２５】
保護キャップ２０２は、ランセット本体２０３の穿刺針を覆い、保護キャップ２０２とランセット本体２０３とからなるランセット２０４として筒状の穿刺針ホルダ２０１の内径部２０５に収納される。
【００２６】
ランセット本体２０３は、その軸方向の互いに異なる位置に、弾性変形が可能な第１のアーム２０９と第２のアーム２１０とを有する。また、第２のアーム２１０には、突起部２１２が設けられている。
【００２７】
ランセット本体２０３と保護キャップ２０２は、樹脂などの弾性材、例えばポリエチレン樹脂にて一体成形されており、破断部２０８を有する。
【００２８】
ランセット２０４は、穿刺針２０７を有するランセット本体２０３と、穿刺針２０７の先端の一部又は全部を覆うように保護し、且つ穿刺針２０７とは分離可能に形成された保護キャップ２０２とを有する。
【００２９】
穿刺針２０７は、体液などを採取するために皮膚を穿刺する。
【００３０】
ここで、穿刺針カートリッジ１０５は、第１のアーム２０９のみが開口部２１１から突出して、ランセット２０４の移動を規制する第１の状態と、第１のアーム２０９と第２のアーム２１０とが穿刺針カートリッジ１０５内に納まって、穿刺針２０７が穿刺針ホルダ２０１から突出可能な第２の状態と、第１と第２のアーム２０９，２１０が共に、開口部２１１から突出して、ランセット２０４の移動を規制する第３の状態とを取り得る。
【００３１】
以上のように構成される穿刺針カートリッジ１０５と穿刺装置本体１０１の再使用防止及び露出防止の動作について説明する。
【００３２】
図５乃至図１０は、穿刺針カートリッジ１０５と穿刺装置本体１０１の各動作状態における要部断面図である。図５は、穿刺針カートリッジ１０５装着前を、図６は、穿刺針カートリッジ１０５を穿刺装置本体１０１に装着した状態を、図７は、保護キャップ２０２
を取り除いた状態を、図８は、穿刺時の状態を、図９は、廃棄した状態を、図１０は、廃棄後、再装着した状態を、それぞれ示す。
【００３３】
[穿刺針カートリッジ１０５装着前（図５）]
第１アーム２０９のみが穿刺針ホルダ２０１の開口部２１１（図３参照）から突出して、ランセット本体２０３の移動を規制する第１の状態である。
【００３４】
[穿刺針カートリッジ１０５装着時（図６）]
穿刺針カートリッジ１０５が穿刺装置本体１０１に装着されると、穿刺針カートリッジ１０５を構成するランセット本体２０３のチャッキング部２０６がプランジャ１０３に把持される。穿刺針カートリッジ１０５の装着と同時に、穿刺装置本体１０１側では、穿刺のためのチャージ動作が行われて、穿刺の準備ができる。
【００３５】
[保護キャップ２０２取外し時（図７）]（保護キャップ２０２なし状態）
穿刺針カートリッジ１０５装着時（図６）において、ランセット本体２０３から保護キャップ２０２を取り外した状態である。
【００３６】
[穿刺後（図８）]（保護キャップ２０２なし状態）
穿刺装置本体１０１に備えられている穿刺ボタンの押下により、穿刺装置本体１０１から発射されたランセット本体２０３の穿刺針２０７が皮膚を穿刺する。図８は、その穿刺後に穿刺針２０７が戻った状態を示している。このとき、第１アーム２０９及び第２アーム２１０は穿刺針ホルダ２０１の内側に存在する。第１のアーム２０９と第２のアーム２１０とが穿刺針カートリッジ１０５内に納まって、穿刺針２０７が穿刺針ホルダ２０１から突出可能な第２の状態である。
【００３７】
[廃棄後（図９）]（保護キャップ２０２なし状態）
図９（ａ）（ｂ）に示すように、穿刺装置本体１０１から使用後の穿刺針カートリッジ１０５を抜き、使用後の穿刺針カートリッジ１０５を破棄する。図９（ｂ）は、第１アーム２０９及び第２アーム２１０が共に穿刺針ホルダ２０１の開口部２１１（図３参照）から突出して、ランセット本体２０３の移動を規制する第３の状態を示している。廃棄された穿刺針カートリッジ１０５は、ユーザの誤操作によって、ランセット本体２０３の後端部（図９（ａ）参照）を押されても第１アーム２０９及び第２アーム２１０が穿刺針ホルダ２０１に係合し、穿刺針２０７の露出を防止する。
【００３８】
[廃棄後リチャージ（図１０）]
図１０は、廃棄された穿刺針カートリッジ１０５を穿刺装置本体１０１に再装着した状態を示している。廃棄後の穿刺針カートリッジ１０５の穿刺装置本体１０１への再装着それ自体は可能であるものの、第２アーム２１０が穿刺針ホルダ２０１の外側に存在し、第２アーム２１０と穿刺針ホルダ２０１が係合することによって、ランセット本体２０３が前進して穿刺動作を行うことを防止する。つまり、廃棄（使用）済みの穿刺針カートリッジ１０５は、間違って再使用することはできないため、安全である。
【００３９】
上述したように、穿刺針カートリッジ１０５は、第１のアーム２０９のみが開口部２１１（図３又は図９（ｂ）参照）から突出して、ランセット２０４の移動を規制する第１の状態と、第１のアーム２０９と第２のアーム２１０とが穿刺針カートリッジ１０５内に納まって、穿刺針２０７が穿刺針ホルダ２０１から突出可能な第２の状態と、第１と第２のアーム２０９，２１０が共に、開口部２１１（図３参照）から突出して、ランセット２０４の移動を規制する第３の状態とを取り得る。
【００４０】
ランセット２０４は、ランセット本体２０３に第１アーム２０９及び第２アーム２１０
を設けている。使用前、第２のアーム２１０は穿刺針ホルダ２０１内部に配置されている。ランセット２０４を含む穿刺針カートリッジ１０５を穿刺装置本体１０１にセットし、穿刺動作後、穿刺装置本体１０１からランセット２０４を含む穿刺針カートリッジ１０５を廃棄する際に穿刺針ホルダ２０１が廃棄用部材１０６により押されることで、第２のアーム２１０が穿刺針ホルダ２０１内部から開口部２１１（図３参照）の位置へ移動し、外部へ突出する。
【００４１】
第２のアーム２１０が穿刺針ホルダ２０１の外部にあることによって、使用後のランセット２０４を含む穿刺針カートリッジを穿刺装置本体１０１にセットし、穿刺動作をさせようとしても、第２のアーム２１０が穿刺針ホルダ２０１に直接接触し、ランセット本体２０３の穿刺動作を防止する。また、第２のアーム２１０は、第１のアーム２０９以上の強度を持っているため、ユーザの強引な操作を防止することができる。
【００４２】
このように、使用済みランセット２０４の再使用及び穿刺針２０７の露出を確実に防止することができる。
【００４３】
以上詳細に説明したように、本実施の形態によれば、穿刺針カートリッジ１０５を構成するランセット２０４は軸方向の互いに異なる位置に、弾性変形が可能な第１のアーム２０９と第２のアーム２１０とを有し、穿刺針カートリッジ１０５は、第１のアーム２０９のみが開口部２１１から突出して、ランセット２０４の移動を規制する第１の状態と、第１のアーム２０９と、第２のアーム２１０とが穿刺針カートリッジ１０５内に納まって、穿刺針２０７が穿刺針ホルダ２０１から突出可能な第２の状態と、第１のアームと第２のアームが共に、開口部２１１から突出して、ランセット２０４の移動を規制する第３の状態とを取り得る。この構成により、患者が使用済み穿刺針カートリッジ１０５を再チャージしても再度の穿刺動作を防止することができる。
【００４４】
また、使用後の穿刺針カートリッジ１０５において、第１のアーム２０９あるいは第２のアーム２１０が穿刺針ホルダ２０１と当接することで使用後の針先の露出を防止することができる。
【００４５】
また、使用後のランセットの軸方向の動きを規制する第１及び第２のアーム２０９，２１０を設けているため、第１のアーム２０９あるいは第２のアーム２１０のいずれか一方が破損することがあっても、破損しなかった他方のアームにより穿刺針の露出を防止でき、より一層安全である。
【００４６】
本実施の形態では、第１のアーム２０９あるいは第２のアーム２１０は、単なる再装着防止機能ではなく、以下の効果を有する。すなわち、アームが２基あることで、再使用防止機能を強化することができる。また、使用後の穿刺針の露出防止も強化することができる。
【００４７】
また、アーム形状において、アームから分岐した突起部を設けたことで、ホルダと係合して、よりアームが開きにくくなるため、再使用及び露出の防止に役立つ効果がある。
【００４８】
特に、本実施の形態では、保護キャップをリキャップされ、且つ穿刺装置本体１０１に装着されても、再使用できないようにすることができるという特有の効果がある。
【００４９】
ここで、穿刺器具における安全対策の基本は下記の４点である。
（１）再使用防止：使用済みの針を再使用させない。
（２）再装着防止：使用済みの針を装置に再装着させない。
（３）リキャップ防止：使用済みの針に保護キャップを再装着（リキャップ）させない。
（４）針の露出防止  ：  針先を穿刺針カートリッジからはみ出ないようにする（露出防止）。
【００５０】
（実施の形態２）
図１１は、本発明の実施の形態２に係る穿刺装置及び穿刺針カートリッジの保護キャップとランセット本体の斜視図である。図４と同一構成部分には同一符号を付して重複箇所の説明を省略する。
【００５１】
図１１において、ランセット３０４は、位相が異なって配置される第１アーム３０９と第２アーム３１０とを有する。
【００５２】
実施の形態１の第１アーム２０９及び第２アーム２１０が同位相に配置されていたのに対し、実施の形態２では、第１アーム３０９と第２アーム３１０との位相が異なる。この時、ユーザによる誤操作によって容易に全てのアームを内側に変形させることを防止する。
【００５３】
実施の形態２によれば、実施の形態１の効果に加えてさらに以下の効果がある。すなわち、実施の形態１の第１アーム２０９及び第２アーム２１０のように、アームが同位相の場合には、廃棄後、このアームを指で掴んで、針が露出する場合が考えられる。これに対して、実施の形態２では、第１のアーム３０９と第２のアーム３１０の位相が９０度ずらすことで、上記のような操作が非常に難しくなり、露出防止により効果がある。
【００５４】
（実施の形態３）
図１２は、本発明の実施の形態３に係る穿刺装置及び穿刺針カートリッジの保護キャップとランセット本体の斜視図である。図４と同一構成部分には同一符号を付して重複箇所の説明を省略する。
【００５５】
図１２において、ランセット４０４は、突起部４１１を有する第１アーム４０９及び第２アーム４１０とを備える。
【００５６】
ユーザの誤操作によって、ランセット本体２０３の後端部を押した場合、実施の形態１と比較して、穿刺針の露出がより露出しにくい構造となっている。
【００５７】
実施の形態３では、第１アーム４０９と第２アーム４１０の両方に突起部４１１を設けているが、第１アーム４０９のみ、又は第２アーム４１０のみに設けてもよい。
【００５８】
（実施の形態４）
図１３は、本発明の実施の形態４に係る穿刺装置及び穿刺針カートリッジの保護キャップとランセット本体の斜視図である。図４及び図１２と同一構成部分には同一符号を付して重複箇所の説明を省略する。
【００５９】
図１３において、ランセット５０４は、４つの第１アーム２０９と、突起部４１１を有する４つの第２アーム４１０とを備える。
【００６０】
実施の形態１の第２アーム２１０が２つであったのに対し、実施の形態４では第２アーム４１０を４本有する。
【００６１】
なお、第２アーム４１０の数は、４本に限らない、１本あるいは２本以上の複数本有するものであればよい。
【００６２】
（実施の形態５）
図１４は、本発明の実施の形態５に係る穿刺装置及び穿刺針カートリッジの保護キャップとランセット本体の斜視図である。図４及び図１２と同一構成部分には同一符号を付して重複箇所の説明を省略する。
【００６３】
図１４において、ランセット６０４は、第１アーム２０９と、三角リブ形状の第２アーム６１０とを備える。
【００６４】
実施の形態１では、第１アーム２０９の形状と第２アーム２１０の形状が同様の形状であった。実施の形態５では、第２アーム６１０の形状は、第１アーム２０９の形状と異なる三角リブ形状である。
【００６５】
なお、第１アーム又は第２アームの形状は、三角リブ形状に限らない、湾曲、折曲、テーパ状でもよく、傾斜部を有していてもよい。但し、針の露出防止及び再使用の防止の観点から、曲がり方や傾斜部の方向性は限定される。つまり、針の露出方向とは逆の方向に作用するような方向にする必要がある。
【００６６】
以上の説明は本発明の好適な実施の形態の例証であり、本発明の範囲はこれに限定されることはない。
【００６７】
上記各実施の形態では穿刺針カートリッジ及び穿刺装置という名称を用いたが、これは説明の便宜上であり、穿刺器具、穿刺具等であってもよいことは勿論である。
【００６８】
また、上記穿刺針カートリッジを構成する各部、例えばカートリッジの種類、その数及び接続方法などはどのようなものでもよい。
【産業上の利用可能性】
【００６９】
本発明に係る穿刺針カートリッジ及び穿刺装置は、血液などの体液を使用して測定や検査を行なうために、採血などに用いる穿刺装置の交換用の穿刺針と、その内部に前記穿刺針を移動可能なように収納し、かつ、前記穿刺針と同時に交換可能な穿刺針ホルダとを有する、使い捨て穿刺針カートリッジとして有用である。
【符号の説明】
【００７０】
１００  穿刺装置
１０１  穿刺装置本体
１０２  ベースメカ
１０３  プランジャ
１０４  スタブ
１０５  穿刺針カートリッジ
１０６  廃棄用部材
１０７  挿入口
２０１  穿刺針ホルダ
２０２  保護キャップ
２０３  ランセット本体
２０４，３０４，４０４，５０４，６０４  ランセット
２０５  内径部
２０６  チャッキング部
２０７  穿刺針
２０８  破断部
２０９，３０９，４０９  第１アーム
２１０，３１０，４１０，６１０  第２アーム
２１１  開口部
２１２，４１１  突起部
【図１】
2010088926.tif 000003
【図２】
2010088926.tif 000004
【図３】
2010088926.tif 000005
【図４】
2010088926.tif 000006
【図５】
2010088926.tif 000007
【図６】
2010088926.tif 000008
【図７】
2010088926.tif 000009
【図８】
2010088926.tif 000010
【図９】
2010088926.tif 000011
【図１０】
2010088926.tif 000012
【図１１】
2010088926.tif 000013
【図１２】
2010088926.tif 000014
【図１３】
2010088926.tif 000015
【図１４】
2010088926.tif 000016